(57)【要約】【課題】軽量でありながら各部の変形が抑制されたゴルフバッグおよびその製造方法を提供する。【解決手段】ゴルフバッグ１は、ハンドル４００が設けられる前面部２、前面部２に対向する背面部３、および前面部２と背面部３との間に位置する側面部４を有するゴルフバッグであって、本体１００と、本体１００内に挿入される筒状の芯材２００と、芯材２００の周面上に連続的に設けられる線状の補強材３００とを備え、補強材３００は、背面部３側の底部（領域Ｒ３）から、側面部４における芯材の高さ方向の中央部分（領域Ｒ２）を通過し、次に前面部２における芯材の上半分に位置する部分（領域Ｒ１）を通過し、次に逆側の側面部において上記と対称な経路を経て、背面部３における底部に戻るように設けられる。【選択図】図１
2008104815.tif 000002
【特許請求の範囲】
【請求項１】
ハンドルが設けられる前面部、前記前面部に対向する背面部、および前記前面部と前記背面部との間に位置し互いに対向する第１と第２側面部を有するゴルフバッグであって、
本体と、
前記本体内に挿入される筒状の芯材と、
前記芯材の周面上に連続的に設けられる線状または帯状の補強材とを備え、
前記補強材は、前記背面部側の底部から、前記第１側面部における前記芯材の高さ方向の中央部分を通過し、次に前記前面部における前記芯材の高さ方向の中心よりも上側に位置する部分を通過し、次に前記第２側面部における前記芯材の高さ方向の中央部分を通過し、前記背面部における底部に達するように設けられる、ゴルフバッグ。
【請求項２】
前記前面部に取り付けられるショルダーベルトをさらに備え、
前記ショルダーベルトの一端部は、前記前面部における前記芯材の上端部に設けられた口枠部分に取り付けられ、
前記ショルダーベルトの他端部は、前記前面部における前記芯材の高さ方向の中心付近に取り付けられる、請求項１に記載のゴルフバッグ。
【請求項３】
前記補強材は、互いに略同じ方向に延在するように設けられた複数の補強材を含む、請求項１または請求項２に記載のゴルフバッグ。
【請求項４】
請求項１から請求項３のいずれかに記載のゴルフバッグの製造方法であって、
前記芯材に含まれるシート材に前記補強材をアーチ状に取り付ける工程と、
前記補強材が取り付けられた前記シート材を丸めて筒状の前記芯材を形成する工程とを備えた、ゴルフバッグの製造方法。
【発明の詳細な説明】
【技術分野】
【０００１】
本発明は、ゴルフクラブを収納するゴルフバッグ（キャディバッグ）およびその製造方法に関し、特に、本体内部に芯材が挿入されたゴルフバッグおよびその製造方法に関する。
【背景技術】
【０００２】
ゴルフクラブを収納するゴルフバッグの胴体部を補強する部材が従来から知られている。
【０００３】
たとえば、特開２００３−５２８７７号公報（特許文献１）においては、ゴルフバッグの口枠部と底部とを繋ぐ位置に３本の弾性樹脂シャフトを設けることが開示されている。
【０００４】
また、特開２００５−１９２６６６号公報（特許文献２）においては、ゴルフバッグの口枠と底枠とを繋ぐ複数本のフレームが、ゴルフバッグの外皮体の背袋部の内部をドーム型に彎曲しながら通過することが開示されている。
【０００５】
また、実用新案登録第３１２３１６２号公報（特許文献３）においては、ゴルフバッグの内部に配設される中空筒状の内部構造体の周壁に補強帯をスパイラル状に巻き付け固定することが開示されている。
【特許文献１】特開２００３−５２８７７号公報
【特許文献２】特開２００５−１９２６６６号公報
【特許文献３】実用新案登録第３１２３１６２号公報
【発明の開示】
【発明が解決しようとする課題】
【０００６】
ゴルフバッグの軽量化を図るために、本体内部に挿入される芯材を薄く形成することが求められる。芯材を薄く形成した場合、該芯材が変形しやすくなるため、重量の増大を抑制しながら芯材の変形を抑制するための補強を施すことが求められる。
【０００７】
一般的なゴルフバッグにおいて、使用者が把持するためのハンドルは、該ゴルフバッグの重心位置よりも少し上に設けられる。芯材の高さが８５０ｍｍ〜９００ｍｍ程度の一般的なゴルフバッグでは、重心は芯材の上部（概ね芯材全高の３／４の高さ）に位置する。したがって、ハンドルが設けられる前面部においては、芯材の上部を補強することが特に求められる。
【０００８】
また、ゴルフクラブを地面に降ろす際は、ハンドルに対向する背面部側の底部が最初に接地されるため、この部分の変形が生じやすい。したがって、ゴルフバッグの背面部においては、ゴルフバッグの底部側を補強することが特に求められる。
【０００９】
また、ゴルフバッグを車のトランク等に収納する場合等においては、ゴルフバッグを横向きに寝かせて載置することになるが、この際、前面部と背面部との間に位置する側面部では、上からの力により高さ方向の中央部に変形が生じやすい。このため、ゴルフバッグの側面部においては、高さ方向の中央部を補強することが特に求められる。
【００１０】
上記のように、ゴルフバッグの前面部、背面部および側面部においては、それぞれ重点的に補強すべき部位が異なる。したがって、重量の増大を抑制しながらゴルフバッグの変形を抑制するためには、ゴルフバッグの前面部、背面部および側面部ごとに、特定の部位を選択的に補強することが求められる。しかしながら、この観点からは、特許文献１〜３に記載のゴルフバッグは十分な構成を備えているとは言えない。
【００１１】
本発明は、上記のような問題に鑑みてなされたものであり、本発明の目的は、軽量でありながら各部の変形が抑制されたゴルフバッグおよびその製造方法を提供することにある。
【課題を解決するための手段】
【００１２】
本発明に係るゴルフバッグは、ハンドルが設けられる前面部、前面部に対向する背面部、および前面部と背面部との間に位置し互いに対向する第１と第２側面部を有するゴルフバッグであって、本体と、本体内に挿入される筒状の芯材と、芯材の周面上に連続的に設けられる線状または帯状の補強材とを備え、補強材は、背面部側の底部から、第１側面部における芯材の高さ方向の中央部分を通過し、次に前面部における芯材の高さ方向の中心よりも上側に位置する部分を通過し、次に第２側面部における芯材の高さ方向の中央部分を通過し、背面部における底部に達するように設けられる。
【００１３】
上記構成によれば、補強材が上記の経路で設けられることにより、ゴルフバッグの前面部、背面部および側面部においてそれぞれ特に必要とされる部位の芯材の補強を選択的に行なうことができるので、補強材の使用量を抑制しながら芯材を薄く形成することができる。以上の結果として、ゴルフバッグの軽量化を図りながらその変形を抑制することができる。
【００１４】
好ましくは、上記ゴルフバッグは、前面部に取り付けられるショルダーベルトをさらに備え、ショルダーベルトの一端部は、前面部における芯材の上端部に設けられた口枠部分に取り付けられ、ショルダーベルトの他端部は、前面部における芯材の高さ方向の中心付近に取り付けられる。
【００１５】
なお、上記構成において、芯材の高さ方向の「中央部分」とは、芯材全高の１／３〜２／３の間に位置する部分（すなわち、芯材を高さ方向に３等分した場合に中央に位置する部分）を意味する。また、「背面部」とは、ハンドルに径方向に対向する位置から、芯材の中心まわりに左右それぞれ６０°回転した位置までの範囲を意味する。また、芯材の高さ方向の「中心付近」とは、芯材全高の３／８〜５／８の間に位置する部分を意味する。
【００１６】
芯材に取り付けられる補強材は、典型的には芯材の外周面上に設けられるが、芯材の内周面上に設けられてもよい。
【００１７】
１つの例として、上記ゴルフバッグにおいて、補強材は、互いに略同じ方向に延在するように設けられた複数の補強材を含む。補強材は、たとえば２本設けられるが、１本の補強材のみが設けられるようにしてもよいし、３本以上の補強材が設けられるようにしてもよい。
【００１８】
本発明に係るゴルフバッグの製造方法は、上述したゴルフバッグを製造する方法であって、芯材に含まれるシート材に補強材をアーチ状に取り付ける工程と、補強材が取り付けられたシート材を丸めて筒状の芯材を形成する工程とを備える。
【発明の効果】
【００１９】
本発明によれば、軽量でありながら各部の変形が抑制されたゴルフバッグおよびその製造方法を提供することができる。
【発明を実施するための最良の形態】
【００２０】
以下に、本発明の実施の形態について説明する。なお、同一または相当する部分に同一の参照符号を付し、その説明を繰返さない場合がある。
【００２１】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２２】
まず、図１〜図３を用いて、本実施の形態に係るゴルフバッグ１の基本的構成について説明する。図１〜図３を参照して、本実施の形態に係るゴルフバッグ１は、本体１００と、本体１００の内部に設けられる筒状の芯材２００と、芯材２００の周面に取付けられる補強材３００と、ハンドル４００およびショルダーベルト５００とを含んで構成される。
【００２３】
本体１００は、たとえばポリウレタンなどを含むレザーにより構成される。芯材２００は、たとえばポリプロピレン、ポリエチレン、発泡ポリプロピレン、発泡ポリエチレンなどからなる１０ｃｍ×１０ｃｍ（平面寸法）あたりの重量が５〜１０ｇ程度であるシート材を含んで構成される。なお、芯材２００の厚みは、その素材がソリッドな素材であるか発泡素材であるか等の要因により、適宜変更される。芯材２００は、高さ方向の両端部に口枠部２１０および底枠部２２０を有する。口枠部２１０および底枠部２２０は、上記シート材に対して補強が施された、比較的変形し難い部分である。
【００２４】
補強材３００は、芯材２００の外周面上に設けられる。本実施の形態では、補強材３００は、２本の線状の補強材３１０，３２０を含む。線状の補強材３１０，３２０としては、たとえば径が１〜３ｍｍ程度である針金、ピアノ線、繊維強化樹脂などを使用することが可能である。典型的な１つの例では、芯材２２０を構成するシート材の表面に補強材３１０，３２０を縫着または接着する。補強材３１０，３２０をシート材に縫着する場合には、たとえば補強材を筒状の生地に挿入し、補強材の長手方向全体に亘って縫着部が補強材を挟むように生地とシート材とを縫い合わせる。このように、縫着部で補強材３１０，３２０を挟むことで、シート材上における補強材の位置が固定される。なお、上述した縫着による固定に代えて、接着により補強材をシート材に固定することも考えられる。
【００２５】
また、線状の補強材に代えて、帯状の補強材を用いることも可能である。帯状の補強材としては、たとえば、幅が５〜１００ｍｍ程度、厚みが１〜２ｍｍ程度の金属板、樹脂板、または繊維強化樹脂板を用いることが可能である。
【００２６】
補強材３００は、背面部３の底部（領域Ｒ３）から側面部４（領域Ｒ２）を通過し、その後、前面部２（領域Ｒ１）を通過し、その後、図１に示される側面部４に対向する側面部を通過し、背面部の底部に達するように設けられる。
【００２７】
次に、図４を用いて、芯材２００への補強材３００の取付位置をさらに詳細に説明する。図４を参照して、補強材３００（３１０，３２０）は、背面部３に位置する領域Ｒ３から上方に立ち上がった後、側面部４に位置する領域Ｒ２を通過する。領域Ｒ２は、芯材２００の高さ方向の中央部分２３０（芯材２００の全高Ｌを三等分した場合に真中に位置する部分）に含まれる。補強材３００は側面部４上で彎曲している。補強材３００は、その後、前面部２に位置する領域Ｒ１を通過する。領域Ｒ１は、芯材２００の上半分（芯材２００の全高Ｌを二等分した場合に上側に位置する部分）に含まれる。補強材３００は、その後、図４に示される部分の裏面側において図４と対称な経路を経て、背面部３の底部に達する。なお、本明細書において、「背面部３」とは、図５に示すように、ハンドル４００に径方向に対向する位置から、芯材２００の中心Ｏまわりに左右それぞれ６０°回転した位置までの範囲を意味する。
【００２８】
次に、図６〜図９を用いて、補強材３００による補強の効果について説明する。なお、図６〜図９では、ゴルフバッグ１にカバー６００を装着した状態を示している。
【００２９】
図６を参照して、ハンドル４００を用いて矢印ＤＲ１方向にゴルフバッグ１を持ち上げた場合、ハンドル４００の取付部周辺に位置する芯材２００に比較的大きな力が作用する。本実施の形態では、ハンドル４００の上端は補強された口枠部２１０に接続されており、この部分の変形が問題となることはない。他方、ハンドル４００の下端が接続される部分の周辺（領域Ｒ１）では、芯材２００の変形を抑制するための補強が必要である。本実施の形態では、領域Ｒ１に位置する芯材２００が補強材３１０，３２０により補強されているため、この部分の変形が抑制される。
【００３０】
図７を参照して、ショルダーベルト５００を用いて矢印ＤＲ１’方向にゴルフバッグ１を持ち上げた場合、ショルダーベルト５００の取付部周辺に位置する芯材２００に比較的大きな力が作用する。本実施の形態では、ショルダーベルト５００の上端は補強された口枠部２１０に接続されており、この部分の変形が問題となることはない。他方、ショルダーベルト５００の下端が接続される部分の周辺（領域Ｒ１'）では、芯材２００の変形を抑制するための補強が必要である。本実施の形態では、領域Ｒ１'に位置する芯材２００が補強材３２０により補強されているため、この部分の変形が抑制される。
【００３１】
なお、芯材全高が８５０ｍｍ〜９００ｍｍ程度である一般的なゴルフバッグ１では、重心は、概ね芯材全高の３／４の高さに位置する。このため、ハンドル４００およびショルダーベルト５００は、それらを用いてゴルフバッグ１を持ち上げたときに口枠部２１０が少し上を向くように、その中心が上記重心位置よりも少し上側に位置するように設けられる。したがって、ハンドル４００は、芯材２００の上部に取り付けられる。このため、上記のように、前面部２において芯材２００の上半分を通過するように補強材３００を設けることで、一般的なゴルフバッグ１において、ハンドル４００の取付部に位置する芯材２００を補強することが可能になる。また、ショルダーベルト５００の上端は、芯材２００の上端部に位置する口枠部２１０に固定されるので、ショルダーベルト５００の下端は、芯材２００の高さ方向の中心付近（芯材２００の全高の３／８〜５／８程度の間に位置する部分）に固定されることになる。上述した経路上に補強材３００を設けることで、一般的なゴルフバッグ１において、ショルダーベルト５００の取付部に位置する芯材２００を補強することができる。
【００３２】
ゴルフバッグ１を車のトランク等に収納する場合等においては、ゴルフバッグ１を横向きに載置することになる。図８を参照して、ゴルフバッグ１を横向きに載置した場合、上からの力（矢印ＤＲ２方向の力）により、本体１００および芯材２００の高さ方向（図８における左右方向）の中央部分（領域Ｒ２）で変形が生じやすくなるので、この部分の変形を抑制するための補強が必要である。本実施の形態では、領域Ｒ２に位置する芯材２００が補強材３１０，３２０により補強されているため、この部分の変形が抑制される。
【００３３】
図９を参照して、矢印ＤＲ３方向にゴルフバッグ１を地面に降ろす際は、ハンドル４００と対向する背面部３の底部（領域Ｒ３）が最初に接地しやすい傾向にあるので、この部分の変形を抑制するための補強が必要である。本実施の形態では、領域Ｒ３に位置する芯材２００が補強材３１０，３２０により補強されているため、この部分の変形が抑制される。
【００３４】
上記のように、本実施の形態に係るゴルフバッグ１では、該バッグの使用時の各局面において、補強材３１０，３２０により芯材２００の変形を抑制することができるので、芯材２００を構成するシート材を薄くすることが可能になる。この結果、ゴルフバッグ１の軽量化を図ることができる。
【００３５】
次に、図１０，図１１を用いて、ゴルフバッグ１の製造方法の例について説明する。図１０を参照して、まず、シート材２０００の主表面上に補強材３１０，３２０をアーチ状に曲げて固定する。また、補強材３１０，３２０を取り付けるための別の方法としては、シート材２０００上にアーチ状に布を縫着し、その後、布中に補強材３１０，３２０を通すことも考えられる。なお、本実施の形態では、補強材３１０，３２０は、互いに略同じ方向に延在し、ともに上述した領域Ｒ１，Ｒ２，Ｒ３上を通過するように形成されている。このように、複数の補強材を設けることにより、補強材の重量の増大を抑制しながら、比較的広い範囲のシート材２０００を効果的に補強することができる。
【００３６】
図１１を参照して、補強材３００が設けられたシート材２０００を矢印ＤＲ２００方向に巻くことにより、芯材２００を構成する筒状部材が構成される。
【００３７】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００３８】
【図１】本発明の１つの実施の形態に係るゴルフバッグの側面図である。
【図２】本発明の１つの実施の形態に係るゴルフバッグにおける芯材の側面図である。
【図３】図２に示される芯材を矢印IIIの方向からみた状態を示す図である。
【図４】芯材への補強材の取付位置を説明する図である。
【図５】背面部の範囲について説明する図である。
【図６】前面部の補強の効果について説明する図（その１）である。
【図７】前面部の補強の効果について説明する図（その２）である。
【図８】側面部の補強の効果について説明する図である。
【図９】背面部の補強の効果について説明する図である。
【図１０】本発明の１つの実施の形態に係るゴルフバッグの製造方法における第１工程を説明する図である。
【図１１】本発明の１つの実施の形態に係るゴルフバッグの製造方法における第２工程を説明する図である。
【符号の説明】
【００３９】
１  ゴルフバッグ、２  前面部、３  背面部、４  側面部、１００  本体、２００  芯材、２１０  口枠部、２２０  底枠部、２３０  中央部分、３００，３１０，３２０  補強材、４００  ハンドル、５００  ショルダーベルト、６００  カバー、２０００  シート材。
【図１】
2008104815.tif 000003
【図２】
2008104815.tif 000004
【図３】
2008104815.tif 000005
【図４】
2008104815.tif 000006
【図５】
2008104815.tif 000007
【図６】
2008104815.tif 000008
【図７】
2008104815.tif 000009
【図８】
2008104815.tif 000010
【図９】
2008104815.tif 000011
【図１０】
2008104815.tif 000012
【図１１】
2008104815.tif 000013